(57)【要約】      （修正有）【課題】生簀網などの定置網を浮かせながら係留することができる浮力装置を提供する。【解決手段】浮力空間２５を囲んでいる浮力手段２に、チェーン３を介して水底のアンカーに連接するための取付け枠３１が取付けられている浮力装置であって、内表面２２０に、内蓋体２２６が、内表面との間に閉鎖空間２２７を画成するように設置されており、取付け枠３１は、閉鎖空間内に配置されていると共に内表面に取付けられている内側プレート２２２と、内側プレートと対になって浮力手段を挟むように外表面２２１に取付けられている外側プレート２２３と、内側プレート、外側プレート、及び浮力手段を挿通して内側プレートと外側プレートとを浮力手段に固定している貫通柱２２５と、外側プレートに形成されている枠状の枠本体２２４と、を有するように配置構成されている。【選択図】図３
0003187602.tif 000002
【実用新案登録請求の範囲】
【請求項１】
浮力空間を囲んでいる浮力手段に取付け枠が取付けられている浮力装置であって、
前記浮力手段の前記浮力空間に面する内表面に、内蓋体が、該内表面との間に閉鎖空間を画成するように設置されている上、
前記取付け枠は、
前記閉鎖空間内に配置されていると共に前記内表面に取付けられている内側プレートと、
前記内側プレートと対になって前記浮力手段を挟むように前記浮力手段の前記浮力空間に面しない外表面に取付けられている外側プレートと、
前記内側プレート、前記外側プレート、及び前記浮力手段を挿通して該内側プレートと該外側プレートとを浮力手段に固定している貫通柱と、
前記外側プレートに形成されている枠状の枠本体と、を有するように配置構成されていることを特徴とする浮力装置。
【請求項２】
前記取付け枠の前記内側プレートの周縁と前記内蓋体との間に水密リングが介在していることを特徴とする請求項１に記載の浮力装置。
【請求項３】
前記浮力空間内に発泡材が充填されていることを特徴とする請求項１または請求項２に記載の浮力装置。
【考案の詳細な説明】
【技術分野】
【０００１】
本考案は浮力装置に関し、特に例えば生簀網などの定置網を浮かせながら係留することができる浮力装置に関する。
【背景技術】
【０００２】
生簀網などの定置網に用いられる従来の浮力装置としては、単に定置網に浮力を提供するものが殆どであり、生簀網を係留することができない（例えば、特許文献１を参照）。
【先行技術文献】
【特許文献】
【０００３】
【特許文献１】台湾登録実用新案第２０１３８８号明細書
【考案の概要】
【考案が解決しようとする課題】
【０００４】
上記問題点に鑑みて、本考案は生簀網などの定置網を浮かせながら係留することができる浮力装置の提供を目的とする。
【課題を解決するための手段】
【０００５】
上記目的を達成すべく、本考案は、浮力空間を囲んでいる浮力手段に取付け枠が取付けられている浮力装置であって、前記浮力手段の前記浮力空間に面する内表面に、内蓋体が、該内表面との間に閉鎖空間を画成するように設置されている上、前記取付け枠は、前記閉鎖空間内に配置されていると共に前記内表面に取付けられている内側プレートと、前記内側プレートと対になって前記浮力手段を挟むように前記浮力手段の前記浮力空間に面しない外表面に取付けられている外側プレートと、前記内側プレート、前記外側プレート、及び前記浮力手段を挿通して該内側プレートと該外側プレートとを浮力手段に固定している貫通柱と、前記外側プレートに形成されている枠状の枠本体と、を有するように配置構成されていることを特徴とする浮力装置を提供する。
【０００６】
上記浮力装置において、前記取付け枠の前記内側プレートの周縁と前記内蓋体との間に水密リングが介在していることが好ましい。
【０００７】
上記浮力装置において、前記浮力空間内に発泡材が充填されるように構成することもできる。
【考案の効果】
【０００８】
上記の構成によれば、本考案は、取付け枠を設けることによって、チェーンやワイヤなどで取付け枠と水底に固設してあるアンカーとを連接すると、本考案の浮力装置が取り付けられている生簀網を係留することできる。
【０００９】
また、水が前記貫通柱と前記浮力手段との間の隙間に浸透しても、浸透して来た水は前記の閉鎖空間に閉じ込められるので、浸透して来た水が浮力空間にまで浸透する時間が先延ばしされ、使用寿命が長い浮力装置を提供することもできる。
【図面の簡単な説明】
【００１０】
【図１】特許文献１に記載された浮力装置の断面図である。
【図２】本考案の浮力装置の第１の実施形態の使用状態が示されている側面図である。
【図３】図２の浮力装置の一部の断面図である。
【図４】本考案の浮力装置の第２の実施形態の一部の断面図である。
【考案を実施するための形態】
【００１１】
以下で添付の図面を参照しながら、本考案の浮力装置の各好ましい実施形態について説明する。
【００１２】
図２は本考案の浮力装置の第１の実施形態の使用状態が示されている側面図であり、図３は図２に示される浮力装置の一部の断面図である。
【００１３】
本考案の浮力装置において、図２、図３に示されるように、浮力手段２は、両端にそれぞれ開口を有する略円筒状に形成された周壁２１と、周壁２１の両端開口をそれぞれ封止するように取り付けられている第１の蓋体２２及び第２の蓋体２３と、からなり、周壁２１と第１の蓋体２２と第２の蓋体２３とにより浮力空間２５を囲む中空構成で水面に浮いて浮力を提供できるようになっている。更に、第１の蓋体２２及び第２の蓋体２３には、第１の取付け枠３１と第２の取付け枠３２とがそれぞれ取付けられている。
【００１４】
図３に示されるように、第１の蓋体２２の浮力空間２５に面する内表面２２０に、内蓋体２２６が、内表面２２０との間に閉鎖空間２２７を画成するように設置されている。
【００１５】
第１の取付け枠３１は、閉鎖空間２２７内に配置されていると共に内表面２２０に取付けられている内側プレート２２２と、内側プレート２２２と対になって第１の蓋体２２を挟むように第１の蓋体２２の浮力空間２５に面しない外表面２２１に取付けられている外側プレート２２３と、外側プレート２２３と第１の蓋体２２との間に介在している水密シート２２９と、内側プレート２２２、外側プレート２２３、及び第１の蓋体２２を挿通して内側プレート２２２と外側プレート２２３とを第１の蓋体２２に固定している貫通柱２２５と、外側プレート２２３に形成されている枠状の枠本体２３４と、を有するように配置構成されている。
【００１６】
第２の取付け枠３２については、上記第１の取付け枠３１の構成に類似しているので、ここでは重複説明を省略する。
【００１７】
上記のように、本考案における閉鎖空間２２７は、内表面２２０と内蓋体２２６とにより画成されるが、この実施形態において、閉鎖空間２２７は内表面２２０に取り付けられている内側プレート２２２と内蓋体２２６とにより画成されている。更に、この実施形態において、内蓋体２２６と内側プレート２２２との間に水密リング２２８が介在し、内蓋体２２６と内側プレート２２２との間の水密を確保しているが、そこに水密性を確保できる接着剤を使用したり、あるいは内蓋体２２６と内側プレート２２２とを水密な緊合で取り付けることによって、内蓋体２２６と内側プレート２２２との間の水密を確保することも可能である。
【００１８】
この実施形態において、浮力手段２の素材はポリエチレンを使用し、第１の取付け枠３１及び第２の取付け枠３２の素材は金属を使用しているが、必要に応じて他に適用できる材料を用いることも可能である。
【００１９】
図２、図３に示されるように、浮力手段２は浮力空間２５を囲む中空構成になっており、複数個の本考案の浮力手段２がそれぞれ有する第２の取付け枠３２をワイヤ１１で生簀網１の周りに一定の間隔で連接することにより、該生簀網１に浮力を提供できる。また、各浮力手段２がそれぞれ有する第１の取付け枠３１をチェーン３で海底に固設したアンカー４に連接すると、浮力手段２及び浮力手段２が取付けられている生簀網１を係留することできる。
【００２０】
更に、もし海水が貫通柱２２５と第１の蓋体２２との間の隙間に浸透しても、浸透して来た水は閉鎖空間２２７内に閉じ込められるので、浸透して来た水が浮力空間２５まで浸透する時間が先延ばしされ、使用寿命が長い浮力装置を提供することもできる。
【００２１】
図４は本考案の浮力装置の第２の実施形態の一部の断面図である。
【００２２】
図示のように、本考案の浮力装置の第２の実施形態は第１の実施形態とほぼ同じ構成になっているが、この第２の実施形態では、浮力空間２５の中に発泡材２４が充填され、図３に示されている第１の実施形態の中空構成とほぼ同じ効果が得られる。
【産業上の利用可能性】
【００２３】
上記の構成によれば、本考案は、取付け枠を設けることによって、チェーンやワイヤなどで取付け枠と水底に固設したアンカーとを連接すると、本考案の浮力装置が取り付けられている例えば箱網や生簀網などの定置網を係留することできる。更に、水が前記貫通柱と前記浮力手段との間の隙間に浸透しても、浸透して来た水は前記の閉鎖空間に閉じ込められるので、浸透して来た水が浮力空間に浸透する時間が先延ばしされ、使用寿命が長い浮力装置を提供することもできる。
【符号の説明】
【００２４】
１  生簀網
１１  ワイヤ
２  浮力手段
２１  周壁
２２  第１の蓋体
２３  第２の蓋体
２４  発泡材
２５  浮力空間
２２０  内表面
２２１  外表面
２２２  内側プレート
２２３  外側プレート
２２４  枠本体
２２５  貫通柱
２２６  内蓋体
２２７  閉鎖空間
２２８  水密リング
２２９  水密シート
３  チェーン
３１  第１の取付け枠
３２  第２の取付け枠
４  アンカー
【図１】
0003187602.tif 000003
【図２】
0003187602.tif 000004
【図３】
0003187602.tif 000005
【図４】
0003187602.tif 000006